(57)【特許請求の範囲】
【請求項１】
河川の一方の川岸、又は両方の川岸に配置され以下の要件を備えることを特徴とする河川用水難者救助装置。
（イ）装置本体は川岸に配置された支持装置と、該支持装置に水平方向に回動可能に支持された竿体とで構成され、該竿体の先端は対岸又は河川の中央まで届く長さであること
（ロ）上記竿体には所定間隔でロープが取り付けられ、該ロープの少なくとも先端には浮き体が取り付けられ、該浮き体は水面上に浮遊していること
（ハ）上記竿体は常に川岸に向かって回動するように付勢された状態で川岸に対して直交する方向に位置され、水難者が上記浮き体又は竿体に掴まった時には上記竿体は下流に向かって回動し、水難者は川岸に接岸できること
【請求項２】
前記竿体は水嵩に応じて上下動し、水面からの距離が一定に保たれる、請求項１記載の河川用水難者救助装置。
【請求項３】
前記支持装置は竿体が川岸方向に回動した時、回動を知らせる情報を発信する情報発信装置を備えた、請求項１又は２記載の河川用水難者救助装置。
【発明の詳細な説明】
【０００１】
【発明の属する技術分野】
本発明は、河川用水難者救助装置に関する。
【０００２】
【従来の技術】
従来、河川に落ちた水難者は自力で川岸に泳ぎ着くか、漂流物につかまって救助を待つしかなかったが、水難したことが判らなければ救助の手を差し伸べることができなかった。そこで、河川用水難者救助装置として河川の両岸にロープを渡し、そのロープに所定間隔に取り付けロープを設け、その取り付けロープの先端に浮き体を設け、水難者がその浮き体に掴まりロープを伝って岸までたどり着く方法が考えられる。
【０００３】
【発明が解決しようとする課題】
しかしながら、水難者が浮き体に掴まることができても、川の流れに逆らってロープを伝って岸まで自力でたどり着くためにはかなりの体力が必要であり、たとえ浮き体に掴まっても救助が来るまで流れに逆らって掴まり続けることは難しかった。
【０００４】
本発明は上記問題点を解消し、水難者が救助装置に掴まることさえできれば自力で水難から免れることができる河川用水難者救助装置を提供することをその課題とする。
【０００５】
【課題を解決するための手段】
前記課題を解決するため、本発明に係る河川用水難者救助装置は、河川の一方の川岸、又は両方の川岸に配置され以下の要件を備えることを特徴とする。
（イ）装置本体は川岸に配置された支持装置と、該支持装置に水平方向に回動可能に支持された竿体とで構成され、該竿体の先端は対岸又は河川の中央まで届く長さであること
（ロ）上記竿体には所定間隔でロープが取り付けられ、該ロープの少なくとも先端には浮き体が取り付けられ、該浮き体は水面上に浮遊していること
（ハ）上記竿体は常に川岸に向かって回動するように付勢された状態で川岸に対して直交する方向に位置され、水難者が上記浮き体又は竿体に掴まった時には上記竿体は下流に向かって回動し、水難者は川岸に接岸できること
【０００６】
なお、前記竿体は水嵩に応じて上下動し、水面からの距離が一定に保たれ、水難者が容易に掴ることができるようにすればよい。
【０００７】
また、前記支持装置は竿体が川岸方向に回動した時、回動を通報する通報装置を備え、速やかに救助に出動できるようにすることが好ましい。
【０００８】
【発明の実施の形態】
図１は、本発明に係る河川用水難者救助装置の一例を示し、この河川用水難者救助装置（以下、救助装置と云う）は、装置本体Ａが川岸に設置された支持装置１と、この支持装置１に水平方向に回動可能に支持された竿体２とで構成され、竿体２は、後述する連結装置１２で常に河の流れに直交する方向で安定するようになっている。この竿体２には所定間隔でロープ３が取り付けられ、このロープ３の途中と先端とには浮き体４が取り付けられ、竿体２が後述する浮き台１１に対し水平位置が維持できるとともに、連結装置１２に大きな負荷が掛からないように先端には浮き６が設けてある。
【０００９】
上記竿体２は支持装置１に連結装置１２で回動可能に連結され、水難者が竿体２若しくは浮き体４に掴った瞬間、後述するジョイント部１５内の係止爪２２、２３のかみ合わせが外れ、内蔵したコイルバネ２１によって竿体２が川岸に向かって回動し、水難者を強制的に川岸に接岸するようになっている。
【００１０】
支持装置１は、図２に示すように、川岸に立設された筒体１０と、筒体１０の内部を上下動可能に配置された浮き台１１と、浮き台１１に逆Ｌ字状の連結金具１４で取り付けられた連結装置１２とで構成されている。
【００１１】
筒体１０の川側に面した側面には上下にガイド孔１３が形成され、このガイド孔１３から連結装置１２が川側に突出し、水嵩に応じて上下動する浮き台１１とともに連結装置１２が上下に移動し、竿体２と水面ｂとの間隔Ｌが常に一定になるようになっている（図３参照）。
【００１２】
連結装置１２は先端に竿体２を連結するジョイント部１５が設けられ、竿体２とジョイント部１５とは連結軸１６で回動可能に連結されている。ジョイント部１５は支持台１に連結される固定部１７と、竿体２が連結された作動部１８とで構成され、固定部１７と作動部１８（竿体２）とは連結軸１６で回動可能に連結されるとともに、固定部１７に固定金具１９、竿体２に固定金具２０で固定されたコイルバネ２１で竿体２が川岸方向に回動できるように常に付勢されている。（図４、図５（ａ）参照）
竿体２と固定部１７との対向面には鋸歯状の係止爪２２、２３がそれぞれ形成され、竿体２に負荷が掛かり撓みが発生したときに係止爪２２、２３の係止が解除され、コイルバネ２１に付勢されて竿体２は川岸に向かって回動するようになっている（図５（ｂ）参照）。
【００１３】
なお、図４、図５において、符号２５はテンションローラを示し、このテンションローラはローラが回転しにくいようにローラの支持体にテンションが掛けられ、竿体２がコイルバネ２１でゆっくり回動させ、急激に回動しないようにしている。
【００１４】
さらに、支持装置１には、竿体２が回動したことを外部に通報する通報装置２６が設けられている。この通報装置２６は太陽光発電で得られた電力で情報を発信する無線装置で構成され、通報する情報は所定の場所（例えば、消防署や河川監視所など）に向けて発信されるようになっている。この情報には、救助装置Ａの固有情報（例えば、設置場所を明示したＩＤ等）が含まれ、通報を受信した側で救助装置Ａの設置場所が瞬時に判明できるようにしておけばよい。
【００１５】
上記構成の救助装置によれば、図６に示すように、水難者ａが竿体２や浮き体４に掴ることにより、図７に示すように、竿体２が川岸に向かって回動を始め、竿体２が川岸に接岸するので水難者ａは竿体２とともに川岸に接岸し、自力で川から脱出することができる。また、自ら脱出できなくても救助する人が手を差し伸べることができるので、救助隊が到着してから水難者を川岸に引き寄せる方策を企てる必要がなく、救助を速やかに実行することができる。
【００１６】
なお、救助装置Ａは、水難者が竿体２や浮き体４に掴ることによって作動するときもあるし、大きな浮遊物が引っかかって作動することも考えられるので、作動したときには竿体２を元の状態に戻す作業が必要になるとともに水難者がいる可能性があるので、一般人よりも消防隊に連絡されることが好ましい。
【００１７】
なお、通報装置２６は無線装置に限定されるものではなく、サイレンや赤色灯で構成してもよいし、無線装置と併設してもよい。このことにより、近隣の人も水難者の救助や装置の復旧作業に加わることができる。
【００１８】
また、上述の救助装置は河川の両岸に設置されているが、河川の川幅が狭ければ、一方の川岸にのみ設置すればよい。
【００１９】
そして、図８（ａ）（ｂ）は支持装置の他の例を示し、この支持装置１は水嵩の変化に竿体がスムーズに順応できるようにしたもので、浮き台１１が筒体１０内をスムーズに上下動できるように、浮き台１１の周面にローラ３０を設け、筒体１０の内周面にはローラ３０をガイドするガイドレール３１を設けたものである。この支持装置１によれば、水嵩が下がっても竿体２が下がらず水難者が竿体２や浮き体４に掴れないような不測の事態を回避することができるし、竿体２の水面からの距離を常に一定に保つことができる。
【００２０】
なお、竿体２が川岸に接岸したとき水難者が竿体から川岸に容易に移れるように川岸には幅広のステップ用階段を設けてあることが好ましい。
【００２１】
【発明の効果】
請求項１の発明によれば、水難者が浮き体又は竿体に掴まることにより、竿体が川岸に向かって回動し、水難者が接岸することができ、自力で川岸にたどり着くことができ、救助隊が到着するまで流れに逆らって浮き体につかまっている状態が回避されるので、折角浮き体に掴まっても力尽きて再び流されるようなことがなくなり救助の確率を格段に向上させることができる。
【００２２】
請求項２の発明によれば、水嵩に応じて竿体が上下動するので、水面から竿体までの距離を常に一定にすることができ、水難者が竿体に掴まりやすくなり、竿体と浮き体との２段階で水難者を救助することができ、救助できる確率を高めることができる。
【００２３】
請求項３の発明によれば、救助装置が作動した情報が消防隊などに通報されるので、速やかに救助作業ができるとともに、浮遊物が引っかかって作動したときにも、速やかに復旧させることができるので、救助装置に水難者が掴まれない最悪の事態を回避することができる。
【図面の簡単な説明】
【図１】  本発明に係る救助装置の平面図
【図２】  上記救助装置の斜視図
【図３】  上記救助装置が水嵩に応じて上下動する構造を説明する要部断面図
【図４】  ジョイント部の構成を説明する平面図
【図５】  （ａ）（ｂ）はジョイント部の作動状態を説明する要部断面図
【図６】  水難者が救助装置に掴る状態を説明する斜視図
【図７】  上記救助装置の作動状態を説明する平面図
【図８】  （ａ）（ｂ）は支持装置の他の例を示す要部断面図
【符号の説明】
１  支持装置
２  竿体
３  ロープ
４  浮き体
Ａ  装置本体
【図１】
0003793101.tif 000002
【図２】
0003793101.tif 000003
【図３】
0003793101.tif 000004
【図４】
0003793101.tif 000005
【図５】
0003793101.tif 000006
【図６】
0003793101.tif 000007
【図７】
0003793101.tif 000008
【図８】
0003793101.tif 000009